(57)【特許請求の範囲】
【請求項１】
地面に固定される固定部材(1)に対してスライダーの可動部(5)を、角形外筒体(3a)とその内部に角部の位相を４５度ずらして遊嵌される角形内筒体(3b)と前記角形外筒体(3a)の内部の各隅角部に嵌着されて角形内筒体(3b)を回動自在に弾性保持する緩衝材(3c)とよりなる緩衝機構(3)を介在させて連繋したことを特徴とする屋外遊戯具。
【請求項２】
地面に固定される固定部材(1)に対してシーソー板の可動部(5)を、角形外筒体(3a)とその内部に角部の位相を４５度ずらして遊嵌される角形内筒体(3b)と前記角形外筒体(3a)の内部の各隅角部に嵌着されて角形内筒体(3b)を回動自在に弾性保持する緩衝材(3c)とよりなる緩衝機構(3)を介在させて連繋したことを特徴とする屋外遊戯具。
【発明の詳細な説明】
【０００１】
【産業上の利用分野】
本発明はスライダーなどの動きを伴う屋外遊戯具に関するものである。
【０００２】
【従来の技術】
高低差を付けた傾斜筒を様々なレイアウトで地面に配置したスライダーのような屋外遊戯具は、遊戯者が滑動などの動きを楽しむものである。ところが、スライダーにおいてはその傾斜角が大きいと遊戯者が傾斜面から出口の水平面に移行する際、ベクトルの変動による衝撃が遊戯者の身体に加わるおそれがあり、その衝撃を緩和するために斜面から出口までの傾斜角を小さくする必要があってスライダーの設置面積は増大し建設費も上昇するという問題があった。
【０００３】
【発明が解決しようとする課題】
本発明が解決しようとするところは前記のような問題を解決し、遊戯時における騒音や遊戯者に加わる衝撃を緩和した屋外遊戯具を提供することにある。
【０００４】
【課題を解決するための手段】
前記のような課題を解決した本発明は、地面に固定される固定部材に対してスライダーの可動部を、角形外筒体とその内部に角部の位相を４５度ずらして遊嵌される角形内筒体と前記角形外筒体の内部の各隅角部に嵌着されて角形内筒体を回動自在に弾性保持する緩衝材とよりなる緩衝機構を介在させて連繋したことを特徴とするものと、地面に固定される固定部材に対してシーソー板の可動部を、角形外筒体とその内部に角部の位相を４５度ずらして遊嵌される角形内筒体と前記角形外筒体の内部の各隅角部に嵌着されて角形内筒体を回動自在に弾性保持する緩衝材とよりなる緩衝機構を介在させて連繋したことを特徴とするものである。
【０００５】
【作用】
本発明の屋外遊戯具は、地面に固定される固定部材に対してスライダーやシーソー板の可動部を角形外筒体とその内部に角部の位相を４５度ずらして遊嵌される角形内筒体と前記角形外筒体の内部の各隅角部に嵌着されて角形内筒体を回動自在に弾性保持する緩衝材とよりなる緩衝機構を介し連繋させてあるから、スライダーやシーソー板の可動部が揺動して起こる衝撃は緩衝機構により吸収されることとなり、遊戯者は強い衝撃を受けることなく遊戯を楽しむことができるうえに、緩衝機構による衝撃吸収のために可動部の揺動は一種独特の振動を伴うものとなり今までにない遊戯感を味わうことができる。
【０００６】
【実施例】
次に、本発明を図１〜図３に示されるスライダーを実施例として詳細に説明する。
１は地面に固定される固定部材、２は前記固定部材１に対して遊戯具本体４の端末の可動部５に一端が枢着されているアーム、３は固定部材１に対して遊戯具本体４の端末の可動部５に続くアーム２を連繋する緩衝機構３である。この実施例に示した遊戯具本体４としてのスライダーは、地面から所定高さに設けられたデッキ部６と端末にある可動部５としての出口筒体とを傾斜筒体７により接続したものであり、前記傾斜筒体７とデッキ部６間には間隔調整用の蛇腹部９を介して屈曲筒８が接続され、この蛇腹部９により傾斜筒体７の動きは吸収されて遊戯具本体４の可動部５としての出口筒体が無理なく可動されるようになっている。
なお、１０は傾斜筒体７の傾斜端縁を垂直面上にある可動部５としての出口筒体の基端縁に接続するための屈曲筒、１１はデッキ部６の支柱である。
【０００７】
また、前記緩衝機構３は地上に固定される固定部材１としての支柱１ａにブラケット１ｂを介して固定されている角形外筒体３ａと、この角形外筒体３ａ内に角部の位相を４５度ずらして遊嵌される角形内筒体３ｂと、角形外筒体３ａの内部の各隅角部に嵌着されて角形内筒体３ｂを回動自在に弾性保持する４本の丸棒状をした緩衝材３ｃとよりなるもので、この実施例においては前記アーム２の一端は遊戯具本体４の可動部５である出口筒体の下面に取り付けられた補強パイプ５ａに垂設された軸受板５ｂに枢着されるとともに、該アーム２の他端に角形内筒体３ｂの端部が連繋されていて可動部５である出口筒体の上下動に伴いアーム２が揺動すると角形内筒体３ｂが緩衝材３ｃを介して角形外筒体３ａの内部で回動されるようになっている。
【０００８】
このように構成されたものは、遊戯者は図示しない梯子を用いてデッキ部６に登ってスライダーとしての遊戯具本体４の屈曲筒８内にもぐり込み、該屈曲筒８に接続された傾斜筒体７内を滑動するものであるが、遊戯者の体重により傾斜筒体７に荷重が掛かるとこの荷重は遊戯具本体４の可動部５である出口筒体にアーム２を介して連繋してある緩衝機構３の角形内筒体３ｂに伝達されてこの角形内筒体３ｂを回動させ、この角形内筒体３ｂの回動により固定部材１に取付けられている緩衝機構３の角形外筒体３ａの内部の各隅角部にあって角形内筒体３ｂを回動自在に弾性保持している各緩衝材３ｃは圧縮されるので、遊戯具本体４の可動部５としての出口筒体に加えられる荷重がこの緩衝機構３の各緩衝材３ｃにより吸収され、このため、遊戯者は柔らかな感触で滑り下りることができる。また、このときに遊戯具本体４の可動部５としての出口筒体を介して傾斜筒体７に生じる傾斜筒体７の動きはデッキ部６との間に介在させている蛇腹部９により吸収されるので、デッキ部６と屈曲筒１０との接続が破損されたり、屈曲筒１０が破損されることはない。
【０００９】
そして、遊戯者が遊戯具本体４の傾斜筒体７から可動部５である水平の出口筒体に滑動する際における進行方向のずれによるベクトルのずれは、緩衝機構３として角形外筒体３ａとその内部に角部の位相を４５度ずらして遊嵌される角形内筒体３ｂと前記角形外筒体３ａの内部の各隅角部に嵌着されて角形内筒体３ｂを回動自在に弾性保持する緩衝材３ｃとよりなる特殊なものを用いてその角形外筒体３ａを固定部材１側に取付けるとともに角形内筒体３ｂを遊戯具本体４の可動部５側に取付けてあるため、前記同様アーム２を介して緩衝機構３の角形内筒体３ｂに加えられてこの角形内筒体３ｂを回動させる際の回動エネルギーが角形外筒体３ａの内部の各隅角部にある緩衝材３ｃにより吸収されて的確に修正されるので、遊戯者に強い衝撃が加えられて体を傷めることはない。しかして、遊戯者が可動部５としての出口筒体から滑り出たあとでは、圧縮されている緩衝機構３の緩衝材３ｃは荷重がなくなって膨張し角形内筒体３ｂを逆方向に回動させるが、角形内筒体３ｂの逆方向への回動も緩衝材３ｃにより抑制されるため、角形内筒体３ｂの回動は急速に収束され、角形内筒体３ｂに取り付けられているアーム２の揺動も急速に収束し、遊戯具本体４の可動部５である出口筒体の振動は急速に収束されることとなり、次の遊戯者が滑動する際、傾斜筒体７の振動により不安感や不快感をいだくおそれはない。
【００１０】
また、図示しないが、シーソー板の実施例とする場合、地面に固定される固定部材１として支柱の上端にＬ型ブラケットを固定しておき、このＬ型ブラケットに前記したスライダーの実施例に示した緩衝機構３と同様の緩衝機構をその角形内筒体３ｂの一端がＬ型ブラケットの垂直板部の内面に固定された状態として取付けるとともに、この緩衝機構３の角形外筒体３ａの上面に遊戯具本体４の可動部５としてのシーソー板の下面中央をその端部が最下降時でも地面に達しないように取付けたものとすれば、シーソー板の一方が下降すると角形外筒体３ａ内の緩衝材３ｃが圧縮されて下降エネルギーを吸収し、シーソー板の下降側が地面に接触する前に下降エネルギーはゼロになり、続いて、下降エネルギーを圧縮して蓄えている緩衝材３ｃが膨張して下降エネルギーを解放するためシーソー板を逆方向に枢動させることとなり、シーソー板の反転運動時には緩衝材３ｃによるエネルギーの吸収によりシーソー板の運動がゆっくりと行われるので、遊戯者に強い衝撃を与えることがないうえ、シーソー板は地面と衝突しないので騒音を発することもないものとなる。
【００１１】
【発明の効果】
本発明は前記説明によって明らかなように、揺動するスライダーやシーソー板の可動部とこれを地面に支持している固定部材との間に角形外筒体とその内部に角部の位相を４５度ずらして遊嵌される角形内筒体と前記角形外筒体の内部の各隅角部に嵌着されて角形内筒体を回動自在に弾性保持する緩衝材とよりなる緩衝機構を組み込んであるので、スライダーやシーソー板の揺動により発生するエネルギーは緩衝材により吸収され、このため、そのエネルギーが遊戯者に加えられることがないうえにスライダーやシーソー板の可動部が地面や他物に衝突して騒音を発生させることがない。また、緩衝機構を設けたことによりエネルギーを吸収させるゾーンや装置が不要となるので、設置面積や設備費を抑えることができ、安価に屋外遊戯具を構築することができ、しかも、緩衝機構によるエネルギーの吸収は今までにない新鮮な運動感覚を遊戯者に与える興趣深いものとなる等種々の利点を有するものである。
従って、本発明は従来の問題点を解決した屋外遊戯具として業界の発展に寄与すること極めて大なものである。
【図面の簡単な説明】
【図１】本発明の実施例を示す一部切欠正面図である。
【図２】本発明の実施例を示す一部切欠側面図である。
【図３】本発明の緩衝機構の要部を示す一部切欠斜視図である。
【符号の説明】
１  固定部材
３  緩衝機構
3a  角形外筒体
3b  角形内筒体
3c  緩衝材
５  可動部
【図１】
0003540413.tif 000002
【図２】
0003540413.tif 000003
【図３】
0003540413.tif 000004